(57)【要約】【課題】簡単な構成で眼帯やマスクのずり下がりを防止することができ、しかも、使用に際しての痛みや不快感も軽減することができる眼帯及び耳掛け部を提供することを例示的課題とする。【解決手段】眼帯２は、目を覆うための眼帯本体４と、眼帯本体４を使用者の目の近傍位置に保持するために使用者の耳に掛ける耳掛け紐７と、耳掛け紐７の使用長を調整及び維持するために耳掛け紐７に取り付けられる調整具８と、を有する。調整具８は、弾性素材により形成され、耳掛け紐７を通過させるスリット８ａを有し、その弾性に基づくスリット８ａと耳掛け紐７との摩擦により耳掛け紐７の使用長を維持する。【選択図】  図１
2014030584.tif 000002
【特許請求の範囲】
【請求項１】
目を覆うための眼帯本体と、
前記眼帯本体を使用者の目の近傍位置に保持するために該使用者の耳に掛ける耳掛け紐と、
前記耳掛け紐の使用長を調整及び維持するために該耳掛け紐に取り付けられる調整具と、を有する眼帯であって、
前記調整具は、
弾性素材により形成され、
前記耳掛け紐を通過させる通過経路を有し、
その弾性に基づく前記通過経路と前記耳掛け紐との摩擦により前記耳掛け紐の使用長を維持する、眼帯。
【請求項２】
前記通過経路は複数であり、
前記調整具は平盤形状を呈している、請求項１に記載の眼帯。
【請求項３】
前記通過経路は、前記調整具に形成されたスリットである、請求項１又は請求項２に記載の眼帯。
【請求項４】
前記スリットは、前記調整具の縁に達して外部と連通している、請求項３に記載の眼帯。
【請求項５】
前記耳掛け紐は、伸縮可能とされている、請求項１から請求項４のうちいずれか１項に記載の眼帯。
【請求項６】
前記調整具は、シリコンゴムにより形成されている、請求項１から請求項５のうちいずれか１項に記載の眼帯。
【請求項７】
眼帯又はマスクに用いられる耳掛け部であって、
該耳掛け部は、
使用者の目を覆う眼帯本体又は該使用者の口を覆うマスク本体を前記目又は前記口の近傍位置に保持するために該使用者の耳に掛ける耳掛け紐と、
前記耳掛け紐の使用長を調整及び維持するために該耳掛け紐に取り付けられる調整具と、を有し、
前記調整具は、
弾性素材により形成され、
前記耳掛け紐を通過させる通過経路を有し、
その弾性に基づく前記通過経路と前記耳掛け紐との摩擦により前記耳掛け紐の使用長を維持する、耳掛け部。
【発明の詳細な説明】
【技術分野】
【０００１】
本発明は、眼帯及び耳掛け部に関する。
【背景技術】
【０００２】
目の治療のため、又は目を保護するために、従来より眼帯が用いられている。眼帯は、目を実質的に覆って保護する眼帯本体と、その眼帯本体を保持するための耳掛け紐によって構成され、耳掛け紐を使用者が耳に掛けて使用するのが一般的である。
【０００３】
使用者によって顔の大きさや目・耳の位置等が異なるので、耳掛け紐は長さ調整機能を有している場合が多い。例えば、従来型の眼帯では、小管部材に耳掛け紐の両端を通し、その小管部材を耳掛け紐上でスライド移動させることにより耳掛け紐の使用長を調整している（例えば、特許文献１を参照。）。
【先行技術文献】
【特許文献】
【０００４】
【特許文献１】特開２００３−６２００６号公報
【発明の概要】
【発明が解決しようとする課題】
【０００５】
しかしながら、このような従来型の眼帯には、使用中に小管部材の位置が頻繁にずれてしまい、耳掛け紐が緩んで眼帯の位置がずり下がってしまうという問題がある。また、小管部材が使用者の耳たぶの裏側に当接した場合は、使用者が痛みや不快感を感じるという問題もある。耳掛け紐の緩みを防止すべく、使用長を短めにしてきつい状態で使用した場合は、小管部材に加えて耳掛け紐自身による圧迫感も加わり、その痛みや不快感は増大する。
【０００６】
本発明は上記の課題に鑑みて為されたもので、簡単な構成で眼帯やマスクのずり下がりを防止することができ、しかも、使用に際しての痛みや不快感も軽減することができる眼帯及び耳掛け部を提供することを例示的課題とする。
【課題を解決するための手段】
【０００７】
上記の課題を解決するために、本発明の例示的側面としての眼帯は、目を覆うための眼帯本体と、眼帯本体を使用者の目の近傍位置に保持するために使用者の耳に掛ける耳掛け紐と、耳掛け紐の使用長を調整及び維持するために耳掛け紐に取り付けられる調整具と、を有する。調整具は、弾性素材により形成され、耳掛け紐を通過させる通過経路を有し、その弾性に基づく通過経路と耳掛け紐との摩擦により耳掛け紐の使用長を維持する。
【０００８】
本発明の他の例示的側面としての耳掛け部は、眼帯又はマスクに用いられる耳掛け部であって、使用者の目を覆う眼帯本体又は使用者の口を覆うマスク本体を目又は口の近傍位置に保持するために使用者の耳に掛ける耳掛け紐と、耳掛け紐の使用長を調整及び維持するために耳掛け紐に取り付けられる調整具と、を有する。調整具は、弾性素材により形成され、耳掛け紐を通過させる通過経路を有し、その弾性に基づく通過経路と耳掛け紐との摩擦により耳掛け紐の使用長を維持する。
【０００９】
本発明の更なる目的又はその他の特徴は、以下添付図面を参照して説明される好ましい実施の形態によって明らかにされるであろう。
【発明の効果】
【００１０】
本発明によれば、簡単な構成で眼帯やマスクのずり下がりを防止することができ、しかも、使用に際しての痛みや不快感も軽減することができる。
【図面の簡単な説明】
【００１１】
【図１】実施形態１に係る眼帯の全体構成図である。
【図２】図１に示す眼帯の使用図である。
【図３】図１に示す眼帯が有する調整具の概略構成図である。
【図４】実施形態２に係るマスクの使用図である。
【図５】実施形態３に係る眼帯の概略構成図である。
【図６】実施形態４に係る眼帯の概略構成図である。
【発明を実施するための形態】
【００１２】
［実施形態１］
本発明の実施形態１に係る眼帯２を図面に基づき説明する。図１は、この眼帯２の全体構成図である。図２は、眼帯２を使用者Ｕが使用した状態を示す使用図である。眼帯２は、眼帯本体４と耳掛け部６とを有して大略構成される。
【００１３】
眼帯本体４は、使用者Ｕの目Ｕ２を保護すべく、目Ｕ２を覆うものである。一般に、眼帯本体４と目Ｕ２との間にガーゼやコットン等の衛生素材１０を挟み込んで使用する。眼帯本体４は、例えば略四角形状とされた平板部材であり、プラスチック等の材料で形成されている。樹脂フィルム又は樹脂プレート等が眼帯本体４の材料として使用されてもよい。
【００１４】
眼帯本体４には、多数の通気孔４ａが形成されている。使用状態においては、衛生素材１０が目Ｕ２を覆い、その衛生素材１０をカバーするように眼帯本体４が配置される。通気孔４ａが多数形成されているので、目Ｕ２の周囲における通気性が確保され、ムレやカブレが防止される。
【００１５】
眼帯本体４には、耳掛け紐７を通過させるための紐用孔４ｂが形成されている。この紐用孔４ｂに耳掛け紐７を通し、耳掛け紐７を使用者Ｕの耳Ｕ４に掛けることにより、図２に示すように、眼帯本体４を目Ｕ２の近傍位置に保持することができるようになっている。紐用孔４ｂは、眼帯本体４の周囲位置、すなわち上下縁近傍位置、左右縁近傍位置、あるいは、四隅近傍位置に配置される。
【００１６】
耳掛け部６は、耳掛け紐７と調整具８とを有している。耳掛け紐７は、眼帯本体４を使用者Ｕの目Ｕ２の近傍位置に保持するために、使用者Ｕの耳Ｕ４に掛けるものである。耳掛け紐７は、紐用孔４ｂに通して使用される。１本の耳掛け紐７を眼帯本体４の上下に配置された紐用孔４ｂに通して全体として１つの環状を形成し、１本で右耳と左耳の両方に掛けるようになっていてもよい。つまり、１本の耳掛け紐７が右耳−眼帯本体４−左耳を連結するようになっていてもよい。また、右耳用と左耳用の２本の耳掛け紐７を眼帯本体４の左右に配置された紐用孔４ｂにそれぞれ通して左右２つの環状を形成し、一方を右耳に、他方を左耳に掛けるようになっていてもよい。すなわち、２本の耳掛け紐７のうち一方が右耳と眼帯本体４とを連結し、他方が左耳と眼帯本体とを連結するようになっていてもよい。
【００１７】
耳掛け紐７は、綿や化学繊維等の繊維材料で形成されるが、使用者Ｕの頬や耳に直接触れるため、素材として肌触りのよい繊維材料が用いられる。従来は、伸縮性のない繊維材料で耳掛け紐７が多く形成されており、本発明においても伸縮性のない耳掛け紐７を使用することが可能である。しかし、ゴム紐等の伸縮性のある耳掛け紐７を用いることは、場合により一層好ましい。伸縮性のある耳掛け紐７を用いることで、眼帯本体４の位置保持が一層確実に行える点、後述する調整具８による耳掛け紐７の使用長調整を一層容易に行うことができ、使用長維持を一層確実に行うことができる点、使用者Ｕの対応サイズ幅を一層拡大することができる点、使用者Ｕの装着感を一層向上させることができる点、等のメリットが得られる。
【００１８】
調整具８は、耳掛け紐７の使用長を調整及び維持するために耳掛け紐７に取り付けられるものである。図３は、実施形態１に係る調整具８の概略構成図である。調整具８は、シリコンゴムで形成され、全体として略平坦な円盤形状を呈する。調整具８には、２本のスリット（通過経路）８ａが形成されている。この２本のスリット８ａに耳掛け紐７の両端を通過させて耳掛け紐７を環状とする。耳掛け紐７が環状となった部分の長さ、すなわち、一方のスリット８ａから他方のスリット８ａに至る長さであって、その経路中に眼帯本体４を含む側の長さが、耳掛け紐７の使用長である。
【００１９】
調整具８は、使用長を簡単に調整する機能と調整後の使用長が簡単に変動しないように維持する機能との、両立が困難な２つの機能を実現している。調整具８は弾性を有するシリコンゴムで形成され、そのスリット８ａに耳掛け紐７を通過させている。耳掛け紐７を引っ張るだけで、簡単に調整具８の位置を耳掛け紐７上でスライド移動することができ、簡単に使用長の調整をすることができる。なお、耳掛け紐７が伸縮性のあるゴム紐である場合は、耳掛け紐７を引っ張ると耳掛け紐７が伸びてその断面積が小さくなる。その状態では、より一層スリット８ａとの摩擦が少なくなって、調整具８の移動が容易となる。
【００２０】
耳掛け紐７の使用長を調整した後に、耳掛け紐７を使用者Ｕの両耳Ｕ４に掛けると、眼帯本体４が目Ｕ２の近傍位置に保持される。このとき、耳掛け紐７とスリット８ａとの間に摩擦力が作用するので、調整具８が移動し難くなっている。そのため、調整具８による耳掛け紐７の使用長維持機能が充分に発揮される。耳掛け紐７が緩んで眼帯本体４が目Ｕ２の位置からずり下がってしまうことが防止される。
【００２１】
スリット８ａは、単に調整具８に切れ込みを形成しただけのものであり、スリット隙間は殆どないか非常に狭い。したがって、大きな摩擦力を発生させることができて、充分な使用長維持機能を発揮する。調整具８がシリコンゴムで形成されているので、スリット８ａ自体も弾性を有している。その弾性に基づき、耳掛け紐７の端部を通過させたり使用長を調整したりする場合には、スリット隙間を大きくすることができ、それらの作業を容易とする。一方、スリット８ａの弾性により、眼帯２を装着した後は、スリット８ａと耳掛け紐７との間で粘性のある大きな摩擦力を発揮する。
【００２２】
調整具８は、円盤形状を呈しており、調整具８が耳Ｕ４の後方に位置した場合に、その当接面（平盤面）８ｂが使用者Ｕの耳たぶの裏側に当接する。調整具８が弾性を有しているので、耳たぶの凹凸形状を当接面８ｂが吸収する。耳たぶの裏側に柔らかく当たるので、調整具８による使用者Ｕへ与える不快感を軽減している。また、耳たぶの裏側の湾曲形状に沿って柔軟に変形して当接するので、使用者Ｕは調整具８の当接を一層快適に感じることができる。
【００２３】
［実施形態２］
上記実施形態１においては、眼帯本体４及び耳掛け部６を有する眼帯２の構成及びその使用について説明した。しかしながら、この耳掛け部６を、マスク１２に適用することも可能である。図４は、実施形態２に係るマスク１２を使用者Ｕが使用した状態を示す使用図である。マスク１２は、使用者Ｕの口Ｕ６を覆うマスク本体１４と、耳掛け部６とを有している。耳掛け部６は、耳掛け紐７と調整具８とを有して構成され、耳掛け紐７は、マスク本体１４を使用者Ｕの口Ｕ６の近傍位置に保持するために、使用者Ｕの耳Ｕ４に掛けられる。調整具８については、実施形態１の場合と略同様であるので、説明を省略する。
【００２４】
なお、眼帯２においても、マスク１２においも、耳掛け紐７は、眼帯本体４やマスク本体１４と別体であってもよいが、眼帯本体４と一体形成されていたり、マスク本体１４と一体形成されていても、もちろんよい。
【００２５】
［実施形態３］
図５は、実施形態３に係る調整具１８を有する眼帯１２の概略構成図である。この眼帯１２では、調整具１８の２本のスリット１８ａが、調整具１８の縁に達して外部連通している。すなわち、外部からカッター等で互い違いに切れ込みを入れたようにスリット１８ａを形成している。
【００２６】
この構成は、実施形態１の調整具８と同様の機能及び効果の他に、スリット１８ａへの耳掛け紐７の通過作業が一層容易であるという効果を発揮する。つまり、耳掛け紐７を、わざわざ端部からスリット１８ａに通す必要がない。耳掛け紐７の途中部分を外部からスリット１８ａに押し入れるだけで、スリット１８ａへの耳掛け紐７の通過が完了する。
【００２７】
［実施形態４］
図６は、実施形態４に係る調整具２８を有する眼帯２２の概略構成図である。この眼帯２２では、調整具２８が全体として円環状のチューブ形状を呈している。円環状の調整具２８の中空内部２８ａに耳掛け紐７を通過させることにより、中空内部２８ａが通過経路として機能する。
【００２８】
この調整具２８もシリコンゴム等の弾性素材で形成されているので、中空内部２８ａと耳掛け紐７との間に、弾性に基づく摩擦力が生じる。その摩擦力で、耳掛け紐７の使用長維持機能が発揮される。中空内部２８ａと耳掛け紐７とが適度な摩擦力を生じるように、中空内部２８ａの大きさと耳掛け紐７の太さとが調整される。
【００２９】
例えば、中空内部２８ａに耳掛け紐７が２本通過する場合、中空内部２８ａの大きさが耳掛け紐７の２本分の太さよりも充分大きいと、摩擦力が小さくなり、耳掛け紐７がすぐに緩んでしまう。逆に、中空内部２８ａの大きさが小さすぎると、２本の耳掛け紐７を通過させる作業が困難となる。例えば、耳掛け紐７の２本分の直径よりも中空内部２８ａの直径を若干小さくする、又は耳掛け紐７の２本分の断面積よりも中空内部２８ａの断面積を若干小さくすることで、耳掛け紐７の通過作業の容易さと適度な摩擦力による使用長維持機能とを両立させることができる。
【００３０】
以上、本発明の好ましい実施の形態を説明したが、本発明はこれらに限定されるものではなく、その要旨の範囲内で様々な変形や変更が可能である。例えば、実施形態１〜３の調整具において、耳掛け紐の通過経路としてのスリットを２本形成したが、もちろん、スリットは１本でもよく、その１本のスリットに耳掛け紐の両端を通過させても構わない。更に、スリットは３本以上でも構わない。その場合において、使用長の調整や維持に用いるスリット以外のスリットを、余剰の耳掛け紐が邪魔にならないように掛け留めるために使用しても構わない。
【００３１】
なお、本願には、以下の趣旨も含む。
【００３２】
本発明の例示的側面としての眼帯は、目を覆うための眼帯本体と、眼帯本体を使用者の目の近傍位置に保持するために使用者の耳に掛ける耳掛け紐と、耳掛け紐の使用長を調整及び維持するために耳掛け紐に取り付けられる調整具と、を有する。調整具は、弾性素材により形成され、耳掛け紐を通過させる通過経路を有し、その弾性に基づく通過経路と耳掛け紐との摩擦により耳掛け紐の使用長を維持する。
【００３３】
調整具がその弾性に基づき発揮する摩擦力によって耳掛け紐の使用長が維持されるので、簡単な構成で、耳掛け紐の緩みを防止することができ、眼帯本体のずり下がりが防止される。また、調整具として弾性部材を使用しているので、調整具が使用者の耳たぶの裏側に当接した場合であっても、使用者に与える痛みや不快感は大幅に軽減されている。ここで、例えば調整具は、シリコンゴム、ウレタンゴム等のゴム素材により形成されていてもよい。もちろん、弾性変形可能な樹脂素材により形成されていても構わない。
【００３４】
通過経路は複数であり、調整具は平盤形状を呈してもよい。調整具が平盤形状を呈することにより、使用者の耳たぶの裏側に調整具が当接する際に、その平盤面を当接させることができる。凹凸が少なく、比較的面積が大きい平盤面が当接するので、耳たぶの裏側に与える痛みや不快感を一層軽減することができる。また、調整具が弾性を有しているので、平盤面が自然と耳たぶの裏側の曲面形状に倣うように柔軟に変形する。したがって、痛みや不快感の軽減のみならず、却って心地よさや快適感までも与えることができる。なお、調整具の外形は、円、楕円、多角形、その他の適宜な形状とすることができる。
【００３５】
また、通過経路が複数であれば、耳掛け紐の両端をそれぞれ別の通過経路に通過させることができる。通過させる作業が簡単となる。余剰の耳掛け紐を掛け留めることもできる。
【００３６】
通過経路は、調整具に形成されたスリットであってもよい。通過経路を単なるスリットとすることにより、簡単かつ低コストに調整具を製造することができる。スリットに耳掛け紐の両端を挿通させることにより、調整具による使用長の容易な調整と、通過経路と耳掛け紐との間に生じる摩擦力による使用長の確実な維持とを両立させることができる。単なるスリットであるので、その形成も容易であり、耳掛け紐の端部を挿通させるのも容易である。例えば、スリットを、開口幅（スリット隙間）を有さない単なる切れ込みとすることで、高い摩擦力を発揮させることができ、耳掛け紐の使用長の維持機能をより効果的に発揮させることができる。この場合、スリットの一端が調整具の縁に達して外部連通していれば、耳掛け紐の端部を通過経路に通過させることが一層容易となる。
【００３７】
耳掛け紐は、伸縮可能とされていてもよい。伸縮可能とは、例えば耳掛け紐がゴム紐であることを意味するが、ゴム材料を用いる場合のみならず、繊維の構造によって伸縮性を備えたものも含む趣旨である。耳掛け紐が伸縮可能とされていれば、より様々な使用者の顔の大きさ、目・耳の位置等に柔軟に対応可能であり、使用者の対応幅を広げることができる。また、使用者の顔によりフィットし易くなり、眼帯本体による圧迫感も軽減することができて、痛みや不快感の防止と眼帯本体の適正な位置保持とを一層効果的に実現することができる。
【００３８】
本発明の他の例示的側面としての耳掛け部は、眼帯又はマスクに用いられる耳掛け部であって、使用者の目を覆う眼帯本体又は使用者の口を覆うマスク本体を目又は口の近傍位置に保持するために使用者の耳に掛ける耳掛け紐と、耳掛け紐の使用長を調整及び維持するために耳掛け紐に取り付けられる調整具と、を有する。調整具は、弾性素材により形成され、耳掛け紐を通過させる通過経路を有し、その弾性に基づく通過経路と耳掛け紐との摩擦により耳掛け紐の使用長を維持する。
【００３９】
調整具がその弾性に基づき発揮する摩擦力によって耳掛け紐の使用長が維持されるので、簡単な構成で、耳掛け紐の緩みを防止することができ、眼帯本体やマスクのずり下がりが防止される。また、調整具として弾性部材を使用しているので、調整具が使用者の耳たぶの裏側に当接した場合であっても、使用者に与える痛みや不快感は大幅に軽減されている。
【００４０】
なお、上記に説明したように、この耳掛け部を眼帯のみならずマスクにも適用することが可能である。本発明の趣旨には、上記に説明した耳掛け紐や調整具を眼帯本体と組み合わせた眼帯のみならず、マスク本体と組み合わせたマスクをも含む。
【符号の説明】
【００４１】
使用者：Ｕ
目：Ｕ２
耳：Ｕ４
口：Ｕ６
眼帯：２，１２，２２
眼帯本体：４
通気孔：４ａ
紐用孔：４ｂ
耳掛け部：６
耳掛け紐：７
調整具：８，１８，２８
スリット（通過経路）：８ａ，１８ａ
当接面（平盤面）：８ｂ
衛生素材：１０
マスク：１２
マスク本体：１４
中空内部（通過経路）：２８ａ
【図１】
2014030584.tif 000003
【図２】
2014030584.tif 000004
【図３】
2014030584.tif 000005
【図４】
2014030584.tif 000006
【図５】
2014030584.tif 000007
【図６】
2014030584.tif 000008